(57)【要約】【課題】画像生成部が各表示部に応じた画像を生成することにより、表示部の所有者に所望の画像を表示できるようにすることを目的とする。【解決手段】識別子送信手段１１０２が識別子記憶手段１１０１内の識別子Ｉを画像生成部１２に送信し、識別子受信手段１２０１がそれを受信する。環境設定手段１２０２が識別子Ｉに応じた画像の生成を画像生成手段１２０３に指示し、画像送信手段１２０４が画像生成手段１２０３によって生成された画像Ｖを表示部１１に送信する。画像受信手段１１０３が画像Ｖを受信し、表示手段１１０４がそれを表示する。表示部１１と画像生成部１２との間の通信は、第１の通信手段１１０６および第２の通信手段１２０６を介して行われる。【選択図】  図１
2004153519.tif 000002
【特許請求の範囲】
【請求項１】
表示部と画像生成部とを備え、
前記表示部が、
当該表示部を特定する識別子を記憶する識別子記憶手段と、
前記識別子を前記画像生成部に送信する識別子送信手段と、
前記画像生成部が生成した画像を受信する画像受信手段と、
前記画像受信手段が受信した画像を表示する表示手段と、
前記画像生成部との間の通信を制御する第１の通信手段とを備え、
前記画像生成部が、
前記表示部から受信した識別子を受信する識別子受信手段と、
前記識別子受信手段によって受信された識別子に基づいて、当該識別子に対応する環境を生成する処理を行う環境設定手段と、
前記環境設定手段によって設定された環境に基づいて画像を生成する画像生成手段と、
前記画像生成手段によって生成された画像を送信する画像送信手段と、
前記表示部との間の通信を制御する第２の通信手段とを備えたこと
を特徴とする画像表示装置。
【請求項２】
環境設定手段が、識別子に対応してグラフィカルユーザインタフェースにおけるデスクトップを生成することを特徴とする請求項１記載の画像表示装置。
【請求項３】
環境設定手段が、識別子に対応してアプリケーションの起動を行うことを特徴とする請求項１記載の画像表示装置。
【請求項４】
環境設定手段が、識別子に対応して所定のアカウントを用いたログオン処理を行うことを特徴とする請求項１記載の画像表示装置。
【請求項５】
画像生成部が、テレビチューナを備え、
環境設定手段が、前記テレビチューナに対して識別子に対応して所定のチャネルの受信を指示し、
画像生成手段が、前記テレビチューナが受信した画像を生成することを特徴とする請求項１記載の画像表示装置。
【請求項６】
表示部が、ユーザの操作を受容しその内容を示すデータを画像生成部に送信する操作入力手段を備え、
画像生成部が、前記表示部から受信したデータに基づいて当該画像生成部の状態を変化させる操作処理手段を備えたことを特徴とする請求項１乃至請求項５記載の画像表示装置。
【請求項７】
第１の通信手段と第２の通信手段との間で行われる通信が無線通信であることを特徴とする請求項１乃至請求項６記載の画像表示装置。
【請求項８】
２つ以上の表示部が１つの画像生成部と接続するよう構成されたことを特徴とする請求項１乃至請求項７記載の画像表示装置。
【請求項９】
同時にはただ１つの表示部が１つの画像生成部と接続するよう構成されたことを特徴とする請求項８記載の画像表示装置。
【請求項１０】
同時に２つ以上の表示部が１つの画像生成部と接続されるよう構成されたことを特徴とする請求項８記載の画像表示装置。
【発明の詳細な説明】
【０００１】
【発明の属する技術分野】
本発明は、パーソナルコンピュータ、テレビ等の画像を表示する装置に関し、詳しくは表示部を分離可能とした画像表示装置に関するものである。
【０００２】
【従来の技術】
オフィス、工場、あるいは、屋外等における各種業務のコンピュータ化の進展にともない、企業、官公庁等の団体ではパーソナルコンピュータ（ＰＣ）、サーバＰＣ等の普及が進んでいる。一方、これら団体ではＰＣ等の設備投資の抑制のため、可能な限り簡便で安価に構築できるシステムが求められている。このような要求を満たすシステムの構成として、複数の表示装置を１つの描画制御装置に接続し、描画制御装置から各表示装置に対して画像の表示を指示するものがある（例えば特許文献１参照）。特許文献１におけるマルチディスプレイ装置は、１つの描画制御装置に対して複数の表示装置が数珠繋ぎ状に接続され、描画制御装置から送出された表示装置を識別する識別ＩＤと描画パケットを各表示装置が受信し、自らに対するものであれば、描画パケットの内容にしたがって表示するものである。
【０００３】
【特許文献１】
特開２０００−１３２３７０号公報（請求項１、請求項２、段落００２０、図１、図２）
【０００４】
【発明が解決しようとする課題】
しかしながら、特許文献１におけるマルチディスプレイ装置においては、１つの描画制御装置を用いて複数の表示装置を簡便に接続でき、システムのコストも安価となるという利点はあるものの、表示装置が表示する内容はすべて描画制御装置の指定にしたがったものであり、また、たとえある表示装置を取り除いたとしても、その表示装置に対しても描画制御装置から継続して描画データが送出されるという問題点があった。
【０００５】
本発明はかかる点に鑑み、表示部と画像生成部とが接続される構成において、表示部に当該表示部を特定する識別子を記憶させ、画像生成部への接続時にその識別子を画像生成部に伝達し、画像生成部が識別子に応じた画像を生成することにより、接続された表示部が必要とする画像のみを生成、送信するとともに、接続時の初期画像として各表示部が必要とする画像を表示する画像表示装置を提供することを目的とする。
【０００６】
【課題を解決するための手段】
本発明の請求項１に記載の発明は、表示部と画像生成部とからなり、表示部が画像生成部に接続する際に、表示部内の識別子記憶手段が記憶する識別子に基づいて、画像生成部が画像を生成する画像表示装置であって、あらかじめ各表示部にその所有者等に応じて識別子を設定しておき、また、画像生成部に、識別子と画像の生成方法等との対応情報を記憶させておくことにより、画像生成部に接続された表示部ごとにそれに適した画像を表示させることができる。
【０００７】
請求項２に記載の発明は、請求項１に記載の発明において、画像生成部が表示部に応じたデスクトップ画面を表示するものであり、１台のパソコン本体を表示部を所有する複数のユーザで共有し、各ユーザの好みのデスクトップを表示させること等が可能となる。
【０００８】
請求項３に記載の発明は、請求項１に記載の発明において、画像生成部が表示部に応じたアプリケーションを起動するものであり、この場合も、各ユーザの好みのアプリケーションを表示させること等が可能となる。
【０００９】
請求項４に記載の発明は、請求項１に記載の発明において、画像生成部が表示部に応じたログオン処理を行うものであり、この場合は、ログオン処理が必要なパソコン等への表示部の接続の際に、各ユーザに応じたユーザ名によるログオン処理を自動的に行うこと等が可能となる。
【００１０】
請求項５に記載の発明は、請求項１に記載の発明において、画像生成部がテレビチューナを備える場合であり、各表示部に応じたチャネルのテレビ映像を表示させることが可能となる。
【００１１】
請求項６に記載の発明は、請求項１〜請求項５記載の発明において、表示部を介してユーザ操作を行えるように構成したものであり、パソコンのデスクトップ上等での各種操作を行わせることができる。
【００１２】
請求項７に記載の発明は、請求項１〜請求項６記載の発明において、表示部と画像生成部とが無線通信によって接続されるものであり、それらの接続および切断を柔軟に行わせることができる。
【００１３】
請求項８に記載の発明は、請求項１〜請求項７に記載の発明において、１つの画像生成装置に対して複数の表示部を接続するよう構成されたものであり、１つの画像生成装置を複数の表示部で共有させることができる。
【００１４】
請求項９に記載の発明は、請求項８に記載の発明において、１つの画像生成部に対して同時にはただ１つの表示部を接続できるよう構成したものであり、画像生成部の構成が容易となる。
【００１５】
請求項１０に記載の発明は、請求項８に記載の発明において、１つの画像生成部に対して同時に２つ以上の表示部を接続可能としたもので、複数のユーザで同時に画像生成部を共有することが可能となる。
【００１６】
【発明の実施の形態】
以下、本発明の実施の形態を図面を参照しながら詳細に説明する。
【００１７】
（実施の形態１）
図１は、本発明の第１の実施の形態における画像表示装置のブロック図を示すものである。図１において、１１は表示部、１２は画像生成部である。１つの画像生成部１２に対して、複数の表示部１１が存在し得る。１１０１は識別子記憶手段、１１０２は識別子送信手段、１１０３は画像受信手段、１１０４は表示手段、１１０５は操作入力手段、１１０６は第１の通信手段であり、１１０１〜１１０６はいずれも表示部１１の構成要素である。また、１２０１は識別子受信手段、１２０２は環境設定手段、１２０３は画像生成手段、１２０４は画像送信手段、１２０５は操作処理手段、１２０６は第２の通信手段であり、１２０１〜１２０６はいずれも画像生成部の構成要素である。
【００１８】
本実施の形態では、画像生成部１２は、グラフィカルユーザインタフェース（ＧＵＩ）におけるいわゆるデスクトップを生成し、その画像データを表示部１１に送信する。表示部１１は、液晶ディスプレイ（ＬＣＤ）およびタッチパネルを備えており、画像生成部１２から送信された画像データを液晶ディスプレイに表示するとともに、タッチパネルを介して行われたユーザ操作を画像生成部１２に対して送出する。また、表示部１１と画像生成部１２、より具体的には第１の通信手段１１０６と第２の通信手段１２０６とは、ＩＥＥＥ８０２．１１ｂ規格に準拠した無線ＬＡＮ等によって接続され、動的な接続および切断が行えるよう構成されているものとする。また、１つの画像生成部１２に対して、複数の異なった表示部１１を排他的に接続できるよう構成されている。
【００１９】
識別子記憶手段１１０１は、図２（ａ）に概念的に示すように当該表示部１１を識別するデータを保持しており、これは例えば、フラッシュメモリ等の不揮発性のメモリ上にあらかじめ定められた方法によって書き込まれ記憶されている。図２（ａ）は、所定の上限が定められた文字数の英数字および記号から構成される文字列「Ｔａｒｏ’ｓ＿ｄｉｓｐｌａｙ」を識別子としていることを示す。先に述べたように本実施の形態における画像表示装置では、表示部１１を複数備えることができ、その場合、他の表示部１１における識別子記憶手段１１０１は、例えば図２（ｂ）に概念的に示す識別子を保持する。このように識別子記憶手段１１０１の内容によって、表示部１１を識別するよう構成されている。
【００２０】
識別子送信手段１１０２は、あらかじめ定められた事象を契機として識別子記憶手段１１０１が記憶する識別子を、第１の通信手段１１０６を介して、画像生成部１２に対して送信する。例えば、表示部１１に電源スイッチを設け、ユーザによる電源オン操作に呼応して識別子の送信を行わせることができる。
【００２１】
画像受信手段１１０３は、第１の通信手段１１０６を介して画像生成部１２から送信された画像データを受信する。
【００２２】
表示手段１１０４は、画像受信手段１１０３が受信した画像データを表示する。表示手段１１０４は、液晶ディスプレイを含むものとして構成される。
【００２３】
操作入力手段１１０５は、ユーザの操作を受容し、第１の通信手段１１０６を介して、画像生成部１２に対して送出する。操作入力手段１１０５は、タッチパネルを含むものとして構成される。
【００２４】
第１の通信手段１１０６は、識別子送信手段１１０２、画像受信手段１１０３および操作入力手段１１０５との相互作用によりデータの送受信を行う。
【００２５】
識別子受信手段１２０１は、第２の通信手段１２０６を介して表示部１１からその識別子を受信する。
【００２６】
環境設定手段１２０２は、識別子受信手段１２０１が受信した識別子に基づいて、画像生成部１２の環境を設定する。環境設定手段１２０２が設定する環境は、時計、カレンダー等が所定の位置に、所定の方法で配置されたデスクトップであり、デスクトップの仕様は図示しない手段によって識別子と１対１で記憶され、画像生成部１２内に格納されている。例えば、識別子「Ｔａｒｏ’ｓ＿ｄｉｓｐｌａｙ」に対しては「デスクトップの右上に時計を右下にカレンダーを表示」の情報が、識別子「Ｊｉｒｏ’ｓ＿ｄｉｓｐｌａｙ」に対しては「デスクトップの右上にスケジュール帳を表示」の情報がそれぞれ対応づけられて記憶される。
【００２７】
画像生成手段１２０３は、環境設定手段１２０２および操作処理手段１２０５の指示に基づいて画像を生成する。
【００２８】
画像送信手段１２０４は、画像生成手段１２０３が生成した画像を第２の通信手段１２０６を介して表示部１１に送信する。
【００２９】
操作処理手段１２０５は、第２の通信手段１２０６を介して表示部１１から受信したユーザ操作データを処理し、画像生成手段１２０３に対してユーザ操作に応じた画面の生成を指示する。
【００３０】
第２の通信手段１２０６は、識別子受信手段１２０１、画像送信手段１２０４および操作処理手段１２０５との相互作用によりデータの送受信を行う。
【００３１】
次に、以上のように構成された本実施の形態における画像表示装置について、第１の通信手段１１０６と第２の通信手段１２０６とが接続した後の動作を順を追って説明する。
【００３２】
（１）識別子送信手段１１０２が、識別子記憶手段１１０１によって記憶される識別子、例えばＩＤ１を第１の通信手段１１０６を介して画像生成部１２に対して送出する。
【００３３】
（２）識別子受信手段１２０１が、第２の通信手段１２０６を介して識別子ＩＤ１を受信する。
【００３４】
（３）環境設定手段１２０２が、識別子ＩＤ１に対応したデスクトップの生成を画像生成手段１２０３に対して指示する。
【００３５】
（４）画像生成手段１２０３が、識別子ＩＤ１に対応したデスクトップを生成する。
【００３６】
（５）画像送信手段１２０４が、画像生成手段１２０３によって生成された画像を第２の通信手段１２０６を介して表示部１１に送信する。
【００３７】
（６）画像受信手段１１０３が、第１の通信手段１１０６を介して画像生成部１２からデスクトップの画像を受信する。
【００３８】
（７）表示手段１１０４が、画像受信手段１１０３によって受信された画像を表示する。
【００３９】
（８）操作入力手段１１０５が、第１の通信手段１１０６を介して画像生成部１２に対してユーザ操作データを送信する。
【００４０】
（９）操作処理手段１２０５が、第２の通信手段１２０６を介して表示部１１から受信した操作データに基づいて画像生成部１２の状態を変化させ、画像生成手段１２０３に対して画像の生成を指示する。
【００４１】
（１０）画像生成手段１２０３が、操作処理手段１２０５の指示に基づいて画像を生成する。
【００４２】
（１１）画像送信手段１２０４が、第２の通信手段１２０６を介して画像生成手段１２０３によって生成された画像を表示部１１に対して送信する。
【００４３】
（１２）画像受信手段１１０３が、第１の通信手段１１０６を介して画像生成部１２から画像データを受信する。
【００４４】
（１３）表示手段１１０４が、画像受信手段１１０３によって受信された画像データを表示する。
【００４５】
以下、（８）〜（１３）を繰り返す。ただし、（８）〜（１３）の処理は必ずしもこの順序で１ステップずつ行われるものではなく、操作入力手段１１０５によるユーザ操作の入力と表示手段１１０４による画像の表示が並行して行われたり、操作処理手段１２０５による操作データの受信と画像送信手段１２０４による画像データの送信が並行して行われたりする等、必要に応じて各処理は重畳して行われる。
【００４６】
次に、本実施の形態における画像生成部１２に対して、２つの異なった表示部１１が接続した場合の具体的な動作について例を示す。先に例示したとおり、画像生成部１１は識別子「Ｔａｒｏ’ｓ＿ｄｉｓｐｌａｙ」に対しては「デスクトップの右上に時計を右下にカレンダーを表示」の情報が、識別子「Ｊｉｒｏ’ｓ＿ｄｉｓｐｌａｙ」に対しては「デスクトップの右下にスケジュール帳を表示」の情報がそれぞれ対応づけられて記憶されているものとする。この場合、識別子記憶手段１１０１が図２（ａ）に概念的に示す識別子を保持する表示部Ａが接続した場合には、表示手段１１０４が表示する最初の画像は図３（ａ）のようになる。また、識別子記憶手段１１０２が図２（ｂ）に概念的に示す識別子を保持する表示部Ｂが接続した場合には、表示手段１１０４が表示する最初の画像は図３（ｂ）のようになる。図３（ａ）では、デスクトップ上の右上に時計が、右下にカレンダーがそれぞれ表示されている。図３（ｂ）では、デスクトップ上の右下にスケジュール帳が表示されている。
【００４７】
以上のように本実施の形態によれば、画像生成部１２に対して表示部１１が無線ＬＡＮを用いて接続された際に、識別子記憶手段１１０１によって記憶される識別子に応じて画像生成手段１２０３がデスクトップ画面を生成し、表示手段１１０４に表示する構成としたので、例えば、表示部１１を所有するユーザが、自身に所望のデスクトップの内容をあらかじめ画像生成部１２に識別子記憶手段１１０１の内容と対応づけて保持させておくことにより、画像生成部１２への接続時に当該デスクトップの内容を表示させ、ユーザにとって画像生成部１２があたかも自身に専用のものであるかのように扱うことが可能となる。
【００４８】
なお、本実施の形態では、画像生成部１２に対して、表示部１１を排他的に接続可能とした、すなわち、同時には１つの表示部１１のみを接続する構成としたが、１２０１〜１２０５の各手段を複数設ける等により、複数の表示部１１を同時に接続可能とすることもできる。
【００４９】
また、本実施の形態では、第１の通信手段１１０６と第２の通信手段１２０６との間をＩＥＥＥ８０２．１１ｂ準拠の無線ＬＡＮで接続するよう構成したが、他の規格の無線ＬＡＮ、あるいは、有線ＬＡＮ等を用いることも可能である。
【００５０】
また、本実施の形態では、環境設定手段１２０２が生成するデスクトップとして、時計、カレンダー、スケジュール帳等を画面上に配置する例を示したが、このようなものの他にも、画面上のフォントの種類、サイズ、色、あるいは、背景のデザイン等種々の例が考えられることは言うまでもない。
【００５１】
また、本実施の形態では、識別子記憶手段１１０１によって記憶される識別子に応じて、環境設定手段１２０２が所定のデスクトップを生成するよう構成したが、これに代えて、所定のアプリケーションを起動するよう構成することも可能である。例えば、識別子Ｘに対してはメールアプリケーションを起動し、識別子Ｙに対してはインターネット閲覧ソフト（いわゆるブラウザ）を起動するといった構成である。
【００５２】
さらに、デスクトップの生成に代えて、所定のログオン処理を行うよう構成することもできる。例えば、図２（ａ）に概念的に示す識別子に対しては、ユーザ「Ｔａｒｏ」のログオン処理を、図２（ｂ）に概念的に示す識別子に対しては、ユーザ「Ｊｉｒｏ」のログオン処理をそれぞれ行うよう構成することもできる。この際、「Ｔａｒｏ」および「Ｊｉｒｏ」のユーザアカウントは画像生成部１２内にあらかじめ登録されており、必要に応じてパスワード等による認証も必要となるが、これらについては公知技術を用いて構成可能であり、また本願発明の主眼ではないので、その詳細については説明を省略する。
【００５３】
（実施の形態２）
図４は、本発明の第２の実施の形態における画像表示装置のブロック図を示すものである。図４において、４１は表示部、４２は画像生成部である。第１の実施の形態の場合と同様に、１つの画像生成部４２に対して、複数の表示部４１が存在し得る。４２０１は環境設定手段、４２０２は画像生成手段、４２０３はテレビチューナである。４２０１〜４２０３はいずれも画像生成部４２の構成要素である。図４において、図１と同一の符号が付与されたものは第１の実施の形態におけるものと同様の手段である。第１の通信手段１１０６と第２の通信手段１２０６は同様に無線ＬＡＮを用いて接続されている。
【００５４】
環境設定手段４２０１は、識別子受信手段１２０１によって受信された識別子に対応したテレビチャネルの受信をテレビチューナに対して指示する。この識別子とテレビチャネルの対応づけは、図示しない手段によってあらかじめ画像生成部４２内に記憶されているものとする。テレビチューナ４２０３は、指示されたチャネルを受信し、画像生成手段４２０２は、そのチャネルの映像を生成する。
【００５５】
以上のように構成された本実施の形態における画像表示装置の具体的な動作について、例を用いて説明する。２つの表示部Ｃおよび表示部Ｄが、画像生成部４２と接続されるよう構成されているものとし、表示部Ｃおよび表示部Ｄの各々の識別子記憶手段１１０１は、図２（ａ）、図２（ｂ）で概念的に示される識別子をそれぞれ保持している。また、画像表示部４２は、図５で概念的に示される識別子とチャネル番号の対応表を保持している。図５は、識別子「Ｔａｒｏ’ｓ＿ｄｉｓｐｌａｙ」を保持する表示部が接続されたときにはチャネル番号２を、「Ｊｉｒｏ’ｓ＿ｄｉｓｐｌａｙ」を保持する表示部が接続されたときにはチャネル番号６を、テレビチューナ４２０３がそれぞれ受信すべきことを示している。以上のような条件下で、表示部Ｃが画像生成部４２に接続されたときには、図５の対応表にしたがって、テレビチューナ４２０３がチャネル番号２の映像を受信し、各手段の処理を経て、表示手段１１０４がその映像を表示する。同様に、表示部Ｄが画像生成部４２に接続されたときには、表示手段１１０４がチャネル番号６の映像を表示する。
【００５６】
以上のように本実施の形態によれば、画像生成部４２に対して表示部４１が無線ＬＡＮを用いて接続された際に、識別子記憶手段１１０１によって記憶される識別子に応じてテレビチューナ４２０３が指定されたチャネル番号の映像を受信し、表示手段１１０４に表示する構成としたので、例えば、表示部４１を所有するユーザが自身に所望のチャネル番号をあらかじめ画像生成部４２に識別子記憶手段１１０１の内容と対応づけて保持させておくことにより、画像生成部４２への接続のみで当該チャネル番号の映像を表示させユーザの嗜好するチャネル番号のテレビの視聴を容易に行わせることが可能となる。
【００５７】
なお、本実施の形態では、環境設定部４２０１が、識別子に対応して常に同一のチャネル番号の受信をテレビチューナ４２０３に指示するよう構成したが、別途、画像生成部４２内にタイマーを用意し、識別子と日、曜日、時間等の条件に応じて決定されるチャネル番号をテレビチューナが受信するよう構成することも可能である。これにより、表示部４１の所有者が好みのテレビ番組の日時、チャネル番号等をあらかじめ画像生成部４２内に記憶させておけば、表示部４１を画像生成部４２に接続するだけで、所望の番組を視聴できる。
【００５８】
【発明の効果】
以上説明したように、本発明によれば、表示部が画像生成部に接続された際に、画像生成部が表示部内の識別子に応じた画像を生成し、表示部に表示するので、表示部の所有者が欲するデスクトップ画面あるいはテレビ番組等を得ることができ、簡易な構成で画像生成部をあたかも各表示部の所有者専用のもののように扱わせることが可能となり、その実用的効果は大きい。
【図面の簡単な説明】
【図１】本発明の第１の実施の形態における画像表示装置のブロック図
【図２】本発明の第１の実施の形態および第２の実施の形態における画像表示装置の識別子記憶手段が記憶する識別子の概念図
【図３】本発明の第１の実施の形態における画像表示装置の表示手段が表示する画像の例を示す図
【図４】本発明の第２の実施の形態における画像表示装置のブロック図
【図５】
概念的に示される識別子とチャンネル番号の対応表を示す図
【符号の説明】
１１、４１  表示部
１２、４２  画像生成部
１１０１  識別子記憶手段
１１０２  識別子送信手段
１１０３  画像受信手段
１１０４  表示手段
１１０５  操作入力手段
１１０６  第１の通信手段
１２０１  識別子受信手段
１２０２、４２０１  環境設定手段
１２０３、４２０２  画像生成手段
１２０４  画像送信手段
１２０５  操作処理手段
１２０６  第２の通信手段
４２０３  テレビチューナ
【図１】
2004153519.tif 000003
【図２】
2004153519.tif 000004
【図３】
2004153519.tif 000005
【図４】
2004153519.tif 000006
【図５】
2004153519.tif 000007